(57)【要約】      （修正有）【課題】セルラー方式のモバイル・ネットワークにおいて、ビデオ・コンテンツの配信サービスを使用しているユーザ機器が隣接セル選択を実行するための方法を提供する。【解決手段】ビデオ・コンテンツ（ＶＣ）を基地局として機能するキャッシュ・ノードにキャッシュし、ＶＣを、サービング基地局を介してキャッシュ・ノードとユーザ機器との間の経路を通して配信し、隣接セルの選択を、ＶＣが隣接セルを介して配信された場合に、スコア関数を用いてセルごとに計算されるスコアのうちで最高のスコア値を有するセルを選択する。スコア関数は、受信信号電力に基づく受信信号品質インジケータ、隣接セルの選択を実行する際にサービング基地局を介してユーザ機器にバッファリングされているＶＣのフレーム数、及びキャッシュ・ノードからＶＣを取り出し隣接セルを介してユーザ機器へＶＣを送信するまでに必要な配信時間をパラメータとする。【選択図】図１
2020061776.tif 000002
【特許請求の範囲】
【請求項１】
セルラー方式のモバイル・ネットワークにおいて、ビデオ・コンテンツの配信サービスを使用しているユーザ機器が隣接セル選択を実行するための方法であって、
前記ビデオ・コンテンツは、基地局として機能するキャッシュ・ノードにキャッシュされており、
前記ビデオ・コンテンツは、サービング基地局を介して前記キャッシュ・ノードと前記ユーザ機器との間の経路を通して配信されており、
隣接セルの前記選択は、前記ビデオ・コンテンツが前記隣接セルを介して前記キャッシュ・ノードと前記ユーザ機器との間の経路を通して配信された場合に、スコア関数を用いてセルごとに計算されるスコアのうちで最高のスコア値を有するセルを選択することにより実行され、
前記スコア関数は、
受信信号電力に基づく受信信号品質インジケータ、
前記隣接セルの選択を実行する際に前記サービング基地局を介して前記ユーザ機器にバッファリングされている前記ビデオ・コンテンツのフレーム数、及び、
前記キャッシュ・ノードから前記ビデオ・コンテンツを取り出し、前記隣接セルを介して前記ユーザ機器へ該ビデオ・コンテンツを送信するまでに必要な配信時間、
をパラメータとする、
方法。
【発明の詳細な説明】
【技術分野】
【０００１】
本発明は、一般に、モバイル・ネットワークと、モバイル・システムとに関する。
【背景技術】
【０００２】
モバイル・ネットワークと、モバイル・システムとについての詳細な説明は、文献、とりわけ、例えば、３ＧＰＰ（第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ））などの標準化機関によって発行される技術仕様の中などで見出され得る。
【０００３】
上記のシステムにおいては、モバイル端末（ユーザ機器とも呼ばれる）は、モバイル・ネットワーク（ＩＰ接続性を提供するモバイル・ネットワークなど）の上で、様々なサービスまたはアプリケーション（ＩＰ−ベースのサービスやアプリケーションなど）に対してアクセス権を有する。そのようなサービスまたはアプリケーションの例は、ストリーミング・メディア（とりわけビデオ）のコンテンツ配信などのコンテンツ配信を含んでいる。モバイル・ネットワークの例は、ＬＴＥ（ロング・ターム・エボリューション（Ｌｏｎｇ  Ｔｅｒｍ  Ｅｖｏｌｕｔｉｏｎ））ネットワークを含んでいる。モバイル・ネットワークは、一般に、セルラー方式構造を有しており、また異なるセルに関連する基地局を含む異なるネットワーク・ノードを備えている。モバイル端末は、サービング・セルと称されるセルを経由してネットワークに対してアクセス権を有しており、このサービング・セルは、例えば、ユーザのモビリティに起因して、時間に従って変化することもある。
【０００４】
現在のサービング・セルに隣接するセル（一般に、このサービング・セルに隣接した、または近接したセル）、また、例えば、現在のサービング・セルによってサービスされるモバイル端末が移動しているときに、新しいサービング・セルになるべき候補になり得るセルは、一般に、隣接セルと称される。隣接セル（単数または複数）の選択メカニズムまたは選択アルゴリズムは、一般に、様々な目的、すなわち、
−  隣接セル・リスト（ＮＣＬ：Ｎｅｉｇｈｂｏｒｉｎｇ  Ｃｅｌｌ  Ｌｉｓｔ）に含まれるべき隣接セルの選択のためであり、通常ではこのリストが、モバイル端末が例えばハンドオーバの準備のためにそこで無線測定を実行すべきである隣接セルのリストに対応している、
−  例えば、ネットワークによるハンドオーバ・ターゲット選択のために、ネットワークに対してモバイル端末によって送信される報告（無線測定報告など）の中にモバイル端末によって含まれるべき隣接セルの選択のため、
−  例えば、モバイル端末による（ＮＣＬのセルのうちからの）、またはモバイル・ネットワークによる（モバイル端末によって報告されるセルのうちからの）、新しいサービング・セルの選択（例えば、ハンドオーバのためのターゲット・セルの選択）のため、
などの様々な目的のために提供される。
【先行技術文献】
【非特許文献】
【０００５】
【非特許文献１】ＩＥＴＦ  ＡＬＴＯ（アプリケーション・レイヤ・トラフィック最適化）プロトコル［ｈｔｔｐ：／／ｔｏｏｌｓ．ｉｅｔｆ．ｏｒｇ／ｗｇ／ａｌｔｏ／］
【発明の概要】
【発明が解決しようとする課題】
【０００６】
上記のモバイル・ネットワークの上で上記のコンテンツ配信サービスを使用しているユーザのための体験品質（ＱｏＥ：Ｑｕａｌｉｔｙ  ｏｆ  Ｅｘｐｅｒｉｅｎｃｅ）を改善する必要がある。とりわけ、隣接セル選択メカニズムを改善して、ユーザのＱｏＥの観点から、最良のサービング・セルを経由して、いつでも、上記のコンテンツ配信サービスに対するアクセスを可能にする必要がある。本発明の実施形態は、とりわけ、そのような必要性に対処している。
【課題を解決するための手段】
【０００７】
これらの目的と、他の目的とは、一態様においては、モバイル・ネットワークにおいて、コンテンツ配信サービスを使用した、ユーザ機器のための隣接セル選択のための一方法によって達成され、前記コンテンツは、キャッシュ・ノードと称されるモバイル・ネットワーク・ノードに位置しており、前記コンテンツは、サービング・セルを経由した、前記キャッシュ・ノードと、前記ユーザ機器との間の経路を通して配信されており、隣接セルの前記選択は、前記コンテンツが、前記隣接セルを経由した、前記キャッシュ・ノードと、前記ユーザ機器との間の経路を通して配信された場合に、前記ユーザによって知覚されることになる遅延を表す配信遅延パラメータを含む選択パラメータに基づいている。
【０００８】
これらの目的と、他の目的とは、他の態様においては、上記の方法を実行するように構成された異なるエンティティによって達成される。そのようなエンティティは、とりわけ、ユーザ機器と、モバイル・ネットワーク・ノード（基地局など）と、モバイル・ネットワークのトポロジ認識情報サーバ（Ｔｏｐｏｌｏｇｙ  Ａｗａｒｅ  Ｉｎｆｏｒｍａｔｉｏｎ  Ｓｅｒｖｅｒ）ＴＡＩＳ（ＡＬＴＯサーバなど）とを含むことができる。
【０００９】
本発明の実施形態による装置および／または方法についてのいくつかの実施形態が、例としてのみ、また添付図面を参照して、以下に説明される。
【図面の簡単な説明】
【００１０】
【図１】異なる隣接セルを経由した、コンテンツが位置しているキャッシュ・ノードと、ユーザ機器との間の異なる経路を、簡略化されたやり方で示すことを意図している図である。
【図２】本発明の一実施形態による、隣接セル選択のための配信時間パラメータのメンバーシップ関数の一例を示すことを意図している図である。
【図３】本発明の一実施形態による、隣接セル選択のための再生の豊かさ（Ｐｌａｙｂａｃｋ  Ｆｕｌｌｎｅｓｓ）についてのパラメータのメンバーシップ関数の一例を示すことを意図している図である。
【図４】本発明の一実施形態による、隣接セル選択のための３自由度の一例を示すことを意図している図である。
【発明を実施するための形態】
【００１１】
本発明の実施形態は、任意のモバイル・ネットワーク・トポロジに対して、すなわち、スモール・セル、マクロ・セルなどに対して適用することができる。本発明の実施形態は、有利なことに、スモール・セル・トポロジに対して適用することができる。
【００１２】
モバイル・セルラー方式ネットワークにおけるデータ・トラフィックは、急速に増大している。さらに、この増大は、将来においても継続することが予想され、またモバイル・データ・トラフィックの重要な部分は、ビデオであることが予想される。それゆえに、最低の可能なコストを保証しながら、提供されたビデオ・コンテンツの高いサービス品質と、データ・レートとを保証する必要がある。
【００１３】
これらの増大する要件に対応するために、スモール・セル・ネットワークは、上記で述べられた目的を満足させる興味深い代替案を構成する。実際に、スモール・セルは、小規模サイズ（一般に、約１００ｍまたは２００ｍ）のセルを意味する。スモール・セルは、カバレッジ・エリアにわたって一様に、ユーザ当たりの高いデータ・レートを配信し、また、空間のより高い再利用を経由してより大きい全体的なスループットを提供することを目標にする。それに追加して、スモール・セル・ネットワークは、屋内環境及び屋外環境の双方で動作する可能性があり、また屋内環境及び屋外環境との双方を対象として含むことができる。
【００１４】
スモール・セル・ネットワークは、バックホール接続を必要としており、このバックホール接続は、スモール・セルのロケーションに応じてバックホールの異なるタイプ（例えば、光ファイバ、ＤＳＬ接続、電源線通信、クーパー・ライン）を用いて保証される可能性がある。スモール・セルのネットワークの内部の使用される可能性のあるバックホールの異機種性は、ユーザに対するコンテンツ配信の遅延に影響を及ぼす。
【００１５】
このバックホールの制限に対処し、ユーザについての知覚された遅延を改善するために、ユーザ・ネットワーク・エッジに、例えば、ＬＴＥネットワークのためのｅノードＢ（ｅＮｏｄｅＢ）に近いコンテンツをキャッシュすること（ｃａｃｈｉｎｇ）は、バックホールを超えた中央のロケーションの中でそれをキャッシュすることよりも効果的に性能を改善することになる。キャッシング（ｃａｃｈｉｎｇ）は、主として、ピアリング・コストを低下させること、およびユーザについての知覚された遅延を改善することにより、動機付けされる。キャッシングは、多数のユーザが「経路の中で」サービスされ得るような固定されたネットワークの場合に、魅力的な問題解決手法である。これらの問題解決手法をモバイル・ネットワークへと拡張することは、ユーザのモビリティに起因して容易なものではない。
【００１６】
解決すべき１つの問題は、次世代のワイヤレス・ネットワークの上のモバイル・ユーザによる豊富なマルチメディア・ストリームのアクセスを容易にすることができるモバイル・ストリーミング・メディアのコンテンツ配信ネットワーク（ＭＳＭ−ＣＤＮ：Ｍｏｂｉｌｅ  Ｓｔｒｅａｍｉｎｇ  Ｍｅｄｉａ  Ｃｏｎｔｅｎｔ  Ｄｅｌｉｖｅｒｙ  Ｎｅｔｗｏｒｋ）を可能にするネットワーク・セルの間のキャッシングと、モビリティとの結合に関係づけられる。上記の問題は、任意のネットワーク・トポロジの場合に、すなわち、スモール・セル、マクロ・セル、．．．などの場合に現れる。上記の問題は、スモール・セル・ネットワークについての研究および産業共同体からの増大する関心と、基地局におけるキャッシングとともに現れる。
【００１７】
本発明の実施形態は、例えば、上記で述べられた隣接セル選択メカニズムや隣接セル選択アルゴリズムなど、様々な隣接セル選択メカニズム、または隣接セル選択アルゴリズムに対して適用することができる。本発明のいくつかの実施形態は、有利なことに（排他的ではないが）、モバイル端末によって実行される隣接セル選択に対して適用することができる。
【００１８】
一実施形態においては、例えば、ＭＳＭ−ＣＤＮ：アーキテクチャなど、モバイル・ネットワークの上のコンテンツ配信のためのアーキテクチャにおいては、隣接セル選択において、ネットワーク・エッジ（例えばＥノードＢ（ＥＮｏｄｅＢ））の中のキャッシング・コンポーネントを考慮に入れることが、提案される。
【００１９】
一実施形態においては、隣接セル選択を機能強化して、与えられたエリアの内部のストレージ・ノードを考慮に入れることが、提案される。
【００２０】
主要な課題のうちの１つは、どのようにしてサービスの連続性を保証し、また隣接セルに対する効率的なハンドオーバを行うべきかである。
【００２１】
現在の最先端の技術においては、隣接セル選択は、ワイヤレス接続の無線態様だけを考慮することにより、実行される。背後にあるアイデアは、ユーザが、良好な信号対干渉比からの恩恵を受ける場合、ユーザがサービスを効率的に復号し、また受信することができることが仮定されることである。
【００２２】
しかし、現在の最先端の技術においては、隣接セル選択は、ストレージ・ロケーション、またはストレージ・ロケーションの特性を活用してはいない。しかしながら、マルチメディア配信を最適化するときに、物理チャネルの上での良好な受信は、必要条件であるが、十分ではない。他のパラメータが最適化され、ユーザに対して良好な体験品質を提供するべきである。そのようなパラメータの例は、後で与えられるであろう。
【００２３】
モバイル通信ネットワークにおいては、１組の基地局が、ワイヤレス・ネットワークにユーザ端末を接続するように展開される。各ユーザ端末は、サービング基地局によってサービスされる（例えば、ユーザ端末が、この基地局によってサービスされるセル・エリアの内部に位置しているときに）。それにもかかわらず、例えば、モビリティに起因して、または基地局が、混雑状態を経験するときに、ユーザ端末通信は、異なる基地局に対してハンドオフされることもある。そのようなハンドオーバのためのターゲット基地局は、一般に、隣接セル・リスト（ＮＣＬ）から選択される。
【００２４】
「隣接セル」は、一般に、サービング・セルに隣接しており、または近接しているセルのことを意味している。隣接セル・リストは、ハンドオーバのための（最小受信電力などあらかじめ設定された判断基準に従って）資格があるとして、例えば、端末によって宣言され得る別のセルを含む。また、隣接セル・リストは、当該リストを所有するセルからハンドオーバ可能である別のセルを含んでいる。端末は、タイムリーな、信頼できるハンドオーバを保証する最良の可能性のある接続を端末に提供するＮＣＬからセルを選択すべきである。
【００２５】
隣接セル選択のために、通常、端末は、受信された信号品質（例えば、Ｅｂ／Ｎ０）を使用して、候補セルを識別する。
【００２６】
ユーザによって要求されるコンテンツが、キャッシュ・ノードに、例えば、基地局に、キャッシュされるときに、ユーザ機器ＵＥは、隣接セルから満足な信号品質（Ｅｂ／Ｎ０＞Ｔｈ＿信号＿電力）を受信することができ、またそれゆえに、その通信をハンドオフする最良の候補としてそれを適切に識別することができる。しかしながら、例えば、図１に示されるように、ＵＥは、異なる経路を通して（異なる基地局を経由して）このキャッシュ・ノードに対するその要求されたコンテンツを受信することができ、これらの異なる経路は、異なる基地局を経由して、異なる特性（混雑状態、帯域幅．．．など）を経験している。この場合には、匹敵する信号品質を提供するが、コンテンツを配信するより低い遅延を提供する別のセルを選択することが、より良い可能性がある。
【００２７】
無線インターフェース情報だけを活用することは、異なるコンテンツ配信遅延を提供する１組の基地局のうちで最良の候補を識別するために十分ではないことは、明らかである。
【００２８】
例えば、図１の中の経路Ｐ２は、遅延が、バックホールの混雑状態と、使用可能性とに依存するので、経路Ｐ１と比べて、より小さな遅延を提供することができる。
【００２９】
一実施形態においては、ハンドオーバ性能を改善し、またターゲット・ハンドオーバ・セルが、ハンドオーバに続いてユーザ機器をサポートし続けることができる可能性を増大させるために、隣接セル選択は、異なる重要なファクタ、例えば、
・  受信信号品質、
・  その配信サービスの要件（それらを表示する前にビデオ・プレーヤのバッファに記憶されるフレーム／画像の数である、ビデオ・サービスのための再生の豊かさ）、．．．など、
・  ＣＤＮノードからモバイル・ユーザへとビデオ・コンテンツを送信するためにかかる配信時間、
を必要とする。
【００３０】
一実施形態においては、隣接セル選択が、それがハンドオフされるべき最良のセルを選択するために、ここでＳによって示される、３つのパラメータのスコア関数を考慮することが提案される。
【００３１】
一実施形態においては、Ｓは、
−  受信信号品質インジケータ（信号電力）、
−  提供されたサービス品質（遅延、再生の豊かさ）、
−  要求されたコンテンツの配信時間（配信時間は、キャッシュ・ノードから情報を取り出す時間と、キャッシュ・ノードからユーザへと伝わる時間とを含む）、
に依存する。
【００３２】
受信信号品質インジケータは、最も重要なパラメータとすることができる。この理由のために、スコア関数は、例えば、以下のように、すなわち、
スコア＝受信信号品質インジケータ×ｆ（コンテンツ・ロケーションからＵＥへの取り出しおよび配信の遅延，再生マージン）
のように、２つの部分に分割されることもある。
【００３３】
受信信号品質インジケータ関数は、
ターゲット・セルの受信信号が、セルにアタッチされるべき受信電力のために必要とされる最小値を示すＴｈ＿信号＿電力よりも上にある場合に、０を返し、
ターゲット・セルの受信信号が、Ｔｈ＿信号＿電力より下にある場合に、１を返す、
間隔ごとの関数として考えられる可能性がある。
【００３４】
関数ｆ（．）の一例が、以下で与えられるであろう。
【００３５】
スコアＳは、セルごとに計算されることもあり、また隣接セル・リストのランキングは、これらの値に基づいて実現されることもある。
【００３６】
隣接セル選択メカニズムは、最高のスコア値を有するセルを選択すべきである。
【００３７】
提案されたスコア関数は、キャッシング特性（配信遅延およびキャッシュ・ノード負荷）と、ユーザによって必要とされるサービス品質とを利用する。
【００３８】
例示の目的のために、１つのセルから別のセルへと移動する２人のユーザについての一例を、すなわち、第１のユーザが、ＨＴＴＰ適応ストリーミング・プロトコルの上で配信されるビデオ・コンテンツを要求し、またユーザの再生が、約５ｓのビデオを含んでおり；第２のユーザは、同じプロトコルを使用して別のビデオ・コンテンツを要求し、またその再生が、約１ｓのビデオを含んでいる一例を取り上げることにしよう。
【００３９】
両方のユーザは、彼らの通信を継続するために、Ｔｈ＿信号＿電力の値よりも下の信号対雑音比を彼らに提供する２つの隣接セルの間の選択肢を有する。しかし、２つの隣接セルは、彼らの要求されたコンテンツについて異なる配信遅延を提供する。
【００４０】
第２のユーザは、よりクリティカルな再生状況を有しているので、ユーザは、短い遅延でその再生を急速に満たすために、最低の配信遅延をユーザに提供するセルに接続される必要がある。これは、どのようなビデオ・フリーズが起こる前にも、より十分な再生マージンを有する第１のユーザのためには必要ない。
【００４１】
本発明の実施形態は、より多くの公平さを提供し、またユーザのトラフィックにより適合されている隣接セル選択アルゴリズムを有することを可能にしている。必ずしも、すべてのユーザが、同じ最良のセルを（無線態様の観点から）選択するものとは限らない。ネットワークにおいてトラフィックを空間的に提供するために、新しい自由度が、そのアルゴリズムにおいて導入される。
・  一実施形態においては、キャッシュ・ノード（基地局）は、その負荷と、ユーザに対する（キャッシュ・ノードと、ユーザ機器との間のホップの数として計算される可能性のある）配信遅延とによって特徴づけられるストレージ施設またはキャッシング施設を有する。
・  一実施形態においては、ユーザ機器に対して配信時間情報（伝達時間＋情報取り出し時間）を提供する、可能性のある方法は、
−  共通チャネル（例えば、物理ダウンリンク共用チャネル）、
−  またはＩＥＴＦ  ＡＬＴＯ（アプリケーション・レイヤ・トラフィック最適化（Ａｐｐｌｉｃａｔｉｏｎ  Ｌａｙｅｒ  Ｔｒａｆｆｉｃ  Ｏｐｔｉｍｉｚａｔｉｏｎ）プロトコル［ｈｔｔｐ：／／ｔｏｏｌｓ．ｉｅｔｆ．ｏｒｇ／ｗｇ／ａｌｔｏ／］
についての使用を含んでおり、このＩＥＴＦ  ＡＬＴＯプロトコルは、ＡＬＴＯクライアント−サーバ・プロトコルを設計している。ＡＬＴＯサーバは、オーバーレイ・アプリケーションの基礎となる、ネットワーク・インフラストラクチャのネットワーク・オペレータのビューをモバイル（ユーザ）の中に埋め込まれたＡＬＴＯクライアントに対して提供する。クライアント−サーバのＡＬＴＯ交換を通して、使用可能なビデオ・ソースの上のアップデートされた情報（配信時間、負荷占有率）は、モバイル・ユーザに対して使用可能にされる。
・  一実施形態においては、ハンドオーバは、ユーザ機器によって開始される。
・  一実施形態においては、隣接セル選択の実装形態は、例えば、以下のようなファジィ・ロジック・フレームワーク（ｆｕｚｚｙ  ｌｏｇｉｃ  ｆｒａｍｅｗｏｒｋ）を使用することができる。
【００４２】
遅延（または配信時間）パラメータについてのメンバーシップ関数は、図２の上に示されるように、定性化される可能性がある。この関数は、提供された遅延と、要求された遅延との値に応じて、集合｛「低い」，「中間」，「高い」｝の形の定性的な値を取る。
【００４３】
図２において、あるしきい値（Ｄ１．．４）を規定することにより、遅延は、サービスの要件に応じて、低い、中間、または、高い、として定性化される可能性がある。
【００４４】
再生の豊かさについてのメンバーシップ関数は、図３に示されるように定性化され、また同様に定性的な値を取る可能性がある。
【００４５】
図３において、あるしきい値（Ｐ１．．４）を規定することにより、使用可能な再生は、ハンドオーバが、開始されることになるときに、状況に応じて低い、中間、または、高い、として定性化される可能性がある。
【００４６】
この例においては、これら２つのパラメータを結合することにより、ユーザ機器は、必要とされたサービス品質を提供する適切なターゲット・セルを選択することができる。このようにして、セルの間の負荷バランスは、暗黙のうちに保証されるであろう。古典的には、無線情報だけを活用することにより、いくつかのユーザ機器は、最良の候補の無線セルを選択することになり、その結果として、同じエリアの中のすべてのユーザは、同じターゲット・セルを選択することになる。
【００４７】
本発明の実施形態は、ユーザ機器が、例えば、キャッシュ・ノードからの彼らのビデオ・コンテンツについてのそれらの再生の豊かさと配信時間とに対応する、必要とされるサービス品質を彼らに提供する適切なセルを選択することを可能にすることにより、この制約条件を緩和することを可能にする。
【００４８】
図４は、そのような例における隣接セル選択のための３つの自由度を示すものである。許可されたゾーンにおいては、しきい値（Ｔｈ＿信号＿電力）の下の受信信号の値ごとに、対（配信遅延、再生マージン）の多数の組合せが、同じプランの上で可能である。
【００４９】
本発明の実施形態により、ユーザ機器は、受信信号についての制約条件を緩和し、またフリーズが起こる前に、できるだけ迅速にその再生を満たす可能性を提供する別のセルを探すことができるようになる。ユーザ機器は、以下の例のスコア・テーブルを活用することができる。
【００５０】
【表１】
2020061776.tif 000003
・  十分な再生マージン（高い状態）を有するユーザ機器は、３つの可能性のあるセル（１と３との間のスコア）を選択することができる。高いスコアが、遅延についての制約条件があまりクリティカルではない場合（スコア＝３）のセルに対して与えられることは、明らかである。
・  不十分な再生マージン（低い状態）を有するユーザ機器は、それらに最高の可能性のあるスコアを提供するセルだけを選択すべきである。
【００５１】
異なるセル（規定されたＴｈ＿信号＿電力、インジケータ関数とそれらの受信信号を比較することにより資格があると宣言される）のスコアを計算した後に、ユーザ機器は、０とは異なるスコアを有するセルを選択する。
【００５２】
一態様においては、モバイル・ネットワークにおいてコンテンツ配信サービスを使用した、ユーザ機器のための隣接セル選択のための方法が、提供されている。
【００５３】
様々な実施形態が、提供されており、これらの実施形態は、様々な組合せに従って、単独で、または組み合わせて使用されることもある。
【００５４】
一実施形態においては、前記コンテンツは、キャッシュ・ノードと称されるモバイル・ネットワーク・ノードに位置しており、前記コンテンツは、サービング・セルを経由した、前記キャッシュ・ノードと、前記ユーザ機器との間の経路を通して配信されており、隣接セルの前記選択は、前記コンテンツが、前記隣接セルを経由した、前記キャッシュ・ノードと、前記ユーザ機器との間の経路を通して配信された場合に、前記ユーザによって知覚されることになる遅延を表す配信遅延パラメータを含む選択パラメータに基づいている。
【００５５】
一実施形態においては、前記配信遅延パラメータは、前記隣接セルを経由した、前記キャッシュ・ノードと、前記ユーザ機器との間の前記経路を通したコンテンツ配信のための時間を表す配信時間を含んでいる。
【００５６】
一実施形態においては、前記配信遅延パラメータは、前記キャッシュ・ノードから前記コンテンツを取り出すための時間を表す取り出し時間を含んでいる。
【００５７】
一実施形態においては、前記配信遅延パラメータは、前記ユーザ機器においてバッファリングされるコンテンツの量を表すバッファ・レベルを含んでいる。
【００５８】
一実施形態においては、前記配信遅延パラメータは、前記コンテンツ配信サービスについてのＱｏＳ遅延要件を表すＱｏＳ遅延を含んでいる。
【００５９】
一実施形態においては、前記選択パラメータは、前記隣接セルから前記ユーザ機器によって受信される無線信号の品質を含んでいる。
【００６０】
一実施形態においては、前記隣接セル選択は、前記選択パラメータに基づいて、異なる隣接セルのうちの最良の１つの選択を含んでいる。
【００６１】
一実施形態においては、前記キャッシュ・ノードは、基地局を備えている。
【００６２】
一実施形態においては、前記方法は、
−  隣接セル・リスト確立のために、ユーザ機器および／またはモバイル・ネットワーク・ノードなどのエンティティが前記隣接セル選択を実行するステップ
を含んでいる。
【００６３】
一実施形態においては、前記方法は、
−  ハンドオーバのためのターゲット・セル選択のために、ユーザ機器および／またはモバイル・ネットワーク・ノードなどのエンティティが前記隣接セル選択を実行するステップ
を含んでいる。
【００６４】
一実施形態においては、前記方法は、
−  モバイル・ネットワーク・ノードなどのエンティティが、前記ユーザ機器に対して前記配信時間を通信するステップ
を含んでいる。
【００６５】
一実施形態においては、前記方法は、
−  モバイル・ネットワーク・ノードなどのエンティティが、共通チャネルの上でユーザ機器に対して前記配信時間を通信するステップ
を含んでいる。
【００６６】
一実施形態においては、前記方法は、
−  ＡＬＴＯサーバなどのエンティティが、前記ユーザ機器におけるＡＬＴＯクライアントなどのエンティティに対して前記配信時間を通信するステップ
を含んでいる。
【００６７】
他の態様は、上記の方法を実行するように構成された異なるエンティティに関連している。そのようなエンティティは、とりわけ、ユーザ機器、モバイル・ネットワーク・ノード（基地局など）、モバイル・ネットワークのトポロジ認識情報サーバＴＡＩＳ（ＡＬＴＯサーバなど）を含むことができる。
【００６８】
そのようなエンティティの詳細な実装形態は、当業者のためにどのような特別な問題も引き起こすことはなく、またそれゆえに、当業者のために、もっと十分に開示される必要はない。
【００６９】
当業者なら、様々な上記で説明された方法のステップが、プログラムされたコンピュータによって実行され得ることを簡単に認識するであろう。本明細書においては、いくつかの実施形態はまた、プログラム・ストレージ・デバイス、例えば、デジタル・データ・ストレージ媒体を対象として含むことも意図しており、このプログラム・ストレージ・デバイスは、マシン読取り可能、またはコンピュータ読取り可能であり、また命令のマシン実行可能なプログラム、またはコンピュータ実行可能なプログラムを符号化しており、そこでは前記命令は、前記上記で説明された方法のステップの一部または全部を実行する。プログラム・ストレージ・デバイスは、例えば、デジタル・メモリ、磁気ディスクや磁気テープなどの磁気ストレージ媒体、ハード・ドライブ、または光学的に読取り可能なデジタル・データ・ストレージ媒体とすることができる。それらの実施形態はまた、上記で説明された方法の前記ステップを実行するようにプログラムされるコンピュータを対象として含むことも意図している。
【図１】
2020061776.tif 000004
【図２】
2020061776.tif 000005
【図３】
2020061776.tif 000006
【図４】
2020061776.tif 000007